【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
聴取者の前方に配置された複数チャンネルのスピーカからオーディオ信号を出力し聴取者の周囲に仮想音源を定位させるためのオーディオ信号出力装置において、
入力するオーディオ信号が映画ソフトのオーディオ信号であるか音楽ソフトのオーディオ信号であるかを選択する選択スイッチを有し該選択スイッチで選択されたオーディオ信号を特定する指示信号を出力する操作部と、
前記操作部が出力した指示信号に基づいて映画ソフトのオーディオ信号か音楽ソフトのオーディオ信号かを特定する制御信号を出力する制御部と、
聴取者の前方中心を基準として右側８５度〜９５度及び左側８５度〜９５度の範囲内であって聴取者の耳の高さを基準として上側２５度〜３５度の範囲内である第１の位置にサラウンド左チャンネル及びサラウンド右チャンネルの仮想音源を定位させる第１フィルタ係数群と、聴取者の前方中心を基準として右側１１５度〜１２５度及び左側１１５度〜１２５度の範囲内であり聴取者の耳の高さを基準として下側５度〜上側５度の範囲内である第２の位置にサラウンド左チャンネル及びサラウンド右チャンネルの仮想音源を定位させる第２フィルタ係数群とを記憶するフィルタ係数メモリと、
前記制御部からの制御信号に基づいて前記フィルタ係数メモリから第１フィルタ係数群または第２フィルタ係数群のフィルタ係数を読み込み、入力されたチャンネル毎のデジタルオーディオ信号にフィルタ処理を施し各チャンネルのデジタルオーディオ信号を加算する信号処理部と、
前記信号処理部が加算したデジタルオーディオ信号をアナログオーディオ信号に変換し増幅して出力する出力部とを備える
ことを特徴とするオーディオ信号出力装置。
【請求項２】
離散ＯＳＤシステムを構成する複数チャンネルのスピーカに離散ＯＳＤ（discrete Optimal Sound Distribution）処理を施したオーディオ信号を出力するオーディオ信号出力装置であって、
入力するオーディオ信号が映画ソフトのオーディオ信号であるか音楽ソフトのオーディオ信号であるかを選択する選択スイッチを有し該選択スイッチで選択されたオーディオ信号を特定する指示信号を出力する操作部と、
前記操作部が出力した指示信号に基づいて映画ソフトのオーディオ信号か音楽ソフトのオーディオ信号かを特定する制御信号を出力する制御部と、
聴取者の前方中心を基準として右側８５度〜９５度及び左側８５度〜９５度の範囲内であり聴取者の耳の高さを基準として上側２５度〜３５度の範囲内である第１の位置にサラウンド左チャンネル及びサラウンド右チャンネルの仮想音源を定位させる第１フィルタ係数群と聴取者の前方中心を基準として右側１１５度〜１２５度及び左側１１５度〜１２５度の範囲内であり聴取者の耳の高さを基準として下側５度〜上側５度の範囲内である第２の位置にサラウンド左チャンネル及びサラウンド右チャンネルの仮想音源を定位させる第２フィルタ係数群とを記憶するフィルタ係数メモリと、
前記制御部からの制御信号に基づいて前記フィルタ係数メモリから第１フィルタ係数群または第２フィルタ係数群のフィルタ係数を読み込み、入力されたチャンネル毎のデジタルオーディオ信号にフィルタ処理を施すフィルタ部と、
前記フィルタ部がフィルタ処理を施したオーディオ信号に対しスピーカ位置のずれを補正し離散ＯＳＤ処理を施して出力するＯＳＤ処理部と、
前記ＯＳＤ処理部が離散ＯＳＤ処理を施したデジタルオーディオ信号をアナログオーディオ信号に変換し増幅して出力する出力部と
を備えることを特徴とするオーディオ信号出力装置。
【請求項３】
請求項２に記載のオーディオ信号出力装置において、
オーディオ信号のサンプリング周波数を判別する周波数判別部を備え、
前記ＯＳＤ処理部は、前記周波数判別部が判別したサンプリング周波数に応じたずれ量を補整したオーディオ信号を出力する
ことを特徴とするオーディオ信号出力装置。
【請求項４】
請求項２乃至請求項３に記載のオーディオ信号出力装置において、
記録媒体に記録されたオーディオ信号を再生して入力する再生部を備える
ことを特徴とするオーディオ信号出力装置。
【請求項５】
請求項２乃至請求項４に記載のオーディオ信号出力装置において、
オーディオ信号とともに入力される映像信号を再生し表示する表示部を備える
ことを特徴とするオーディオ信号出力装置。
【手続補正２】
【補正対象書類名】明細書
【補正対象項目名】００１６
【補正方法】変更
【補正の内容】
【００１６】
本願の発明に係るオーディオ信号出力装置は、聴取者の前方に配置された複数チャンネルのスピーカからオーディオ信号を出力し聴取者の周囲に仮想音源を定位させるためのオーディオ信号出力装置において、入力するオーディオ信号が映画ソフトのオーディオ信号であるか音楽ソフトのオーディオ信号であるかを選択する選択スイッチを有し該選択スイッチで選択されたオーディオ信号を特定する指示信号を出力する操作部と、前記操作部が出力した指示信号に基づいて映画ソフトのオーディオ信号か音楽ソフトのオーディオ信号かを特定する制御信号を出力する制御部と、聴取者の前方中心を基準として右側８５度〜９５度及び左側８５度〜９５度の範囲内であって聴取者の耳の高さを基準として上側２５度〜３５度の範囲内である第１の位置にサラウンド左チャンネル及びサラウンド右チャンネルの仮想音源を定位させる第１フィルタ係数群と、聴取者の前方中心を基準として右側１１５度〜１２５度及び左側１１５度〜１２５度の範囲内であり聴取者の耳の高さを基準として下側５度〜上側５度の範囲内である第２の位置にサラウンド左チャンネル及びサラウンド右チャンネルの仮想音源を定位させる第２フィルタ係数群とを記憶するフィルタ係数メモリと、前記制御部からの制御信号に基づいて前記フィルタ係数メモリから第１フィルタ係数群または第２フィルタ係数群のフィルタ係数を読み込み、入力されたチャンネル毎のデジタルオーディオ信号にフィルタ処理を施し各チャンネルのデジタルオーディオ信号を加算する信号処理部と、前記信号処理部が加算したデジタルオーディオ信号をアナログオーディオ信号に変換し増幅して出力する出力部とを備えるものである。
【手続補正３】
【補正対象書類名】明細書
【補正対象項目名】００１７
【補正方法】変更
【補正の内容】
【００１７】
本願の発明に係るオーディオ信号出力装置は、離散ＯＳＤシステムを構成する複数チャンネルのスピーカに離散ＯＳＤ（discrete Optimal Sound Distribution）処理を施したオーディオ信号を出力するオーディオ信号出力装置であって、入力するオーディオ信号が映画ソフトのオーディオ信号であるか音楽ソフトのオーディオ信号であるかを選択する選択スイッチを有し該選択スイッチで選択されたオーディオ信号を特定する指示信号を出力する操作部と、前記操作部が出力した指示信号に基づいて映画ソフトのオーディオ信号か音楽ソフトのオーディオ信号かを特定する制御信号を出力する制御部と、聴取者の前方中心を基準として右側８５度〜９５度及び左側８５度〜９５度の範囲内であり聴取者の耳の高さを基準として上側２５度〜３５度の範囲内である第１の位置にサラウンド左チャンネル及びサラウンド右チャンネルの仮想音源を定位させる第１フィルタ係数群と聴取者の前方中心を基準として右側１１５度〜１２５度及び左側１１５度〜１２５度の範囲内であり聴取者の耳の高さを基準として下側５度〜上側５度の範囲内である第２の位置にサラウンド左チャンネル及びサラウンド右チャンネルの仮想音源を定位させる第２フィルタ係数群とを記憶するフィルタ係数メモリと、前記制御部からの制御信号に基づいて前記フィルタ係数メモリから第１フィルタ係数群または第２フィルタ係数群のフィルタ係数を読み込み、入力されたチャンネル毎のデジタルオーディオ信号にフィルタ処理を施すフィルタ部と、前記フィルタ部がフィルタ処理を施したオーディオ信号に対しスピーカ位置のずれを補正し離散ＯＳＤ処理を施して出力するＯＳＤ処理部と、前記ＯＳＤ処理部が離散ＯＳＤ処理を施したデジタルオーディオ信号をアナログオーディオ信号に変換し増幅して出力する出力部とを備えるものである。
【手続補正４】
【補正対象書類名】明細書
【補正対象項目名】００１８
【補正方法】変更
【補正の内容】
【００１８】
また、本願の発明に係るオーディオ信号出力装置は、オーディオ信号のサンプリング周波数を判別する周波数判別部を備え、前記ＯＳＤ処理部は、前記周波数判別部が判別したサンプリング周波数に応じたずれ量を補整したオーディオ信号を出力するものである。
【手続補正５】
【補正対象書類名】明細書
【補正対象項目名】００１９
【補正方法】変更
【補正の内容】
【００１９】
また、本願の発明に係るオーディオ信号出力装置は、記録媒体に記録されたオーディオ信号を再生して入力する再生部を備えるものである。
【手続補正６】
【補正対象書類名】明細書
【補正対象項目名】００２０
【補正方法】変更
【補正の内容】
【００２０】
また、本願発明に係るオーディオ信号出力装置は、オーディオ信号とともに入力される映像信号を再生し表示する表示部を備えるものである。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
本発明のオーディオ信号出力装置によれば、聴取者の前方に配置されたスピーカにより、聴取者が簡単にサラウンドチャンネルの仮想音源の位置を変更することができる。また、再生するコンテンツに応じたサラウンド効果を得ることができる。
【手続補正９】
【補正対象書類名】明細書
【補正対象項目名】０１０８
【補正方法】変更
【補正の内容】
【０１０８】
図１０は、本発明のオーディオ信号出力装置の応用例を示す図である。
上記の実施形態では、本発明をアンプに適用した例について説明した。しかし、これに限らず、アンプ以外の他のオーディオ信号出力装置に適用することができる。例えば、ＣＤプレーヤ、ＤＶＤプレーヤ等の再生装置に適用してもよい。図１０（ａ） に示す再生装置は、ＣＤ、ＤＶＤ等の記録媒体からデジタルオーディオ信号を再生する再生部１１を備える。再生部１１が再生した再生信号には離散ＯＳＤ処理が施され、増幅部を介して或いは直接ツイータＴＷとミッドＭとを有するボックスに送られる。このように、本発明を再生装置に適用しても、上記したアンプに適用した場合と同様の効果が得られる。
【手続補正１０】
【補正対象書類名】明細書
【補正対象項目名】０１１１
【補正方法】変更
【補正の内容】
【０１１１】
図１１（ａ） に示すオーディオ信号出力装置は、入力部１を介してデジタル映像信号とデジタルオーディオ信号とを受け付ける。アナログ信号を受信する場合には、ＡＤＣを用いてデジタル信号に変換する。デコード部２によりデコードされた映像信号は、ビデオ信号処理部１３により所定の方式に基づいて処理され、表示部１２に出力される。表示部１２は、液晶表示パネル、プラズマ表示パネル等から構成される。一方、音声信号は、上述したように離散ＯＳＤ処理が施され、出力部５を介して各スピーカに送られる。
【手続補正１１】
【補正対象書類名】明細書
【補正対象項目名】０１１５
【補正方法】変更
【補正の内容】
【０１１５】
１・・・入力部、２・・・デコード部、３・・・信号処理部、３ａ・・・第１フィルタ部、３ｂ・・・第２フィルタ部、３ｃ・・・第３フィルタ部、３ｄ・・・ 第４フィルタ部、３ｅ・・・第５フィルタ部、３ｆ・・・加算処理部、４・・・フィルタ係数メモリ、５・・・出力部、６・・・操作部、７・・制御部、 ８・・・信号処理部、８ａ・・・第１フィルタ部、８ｂ・・・第２フィルタ部、８ｃ・・・第３フィルタ部、８ｄ・・・第４フィルタ部、８ｅ・・・第５フィル タ部、８ｆ・・・ＯＳＤ処理部、９・・・フィルタ係数メモリ、１０・・・周波数判別部、１１・・・再生部、１２・・・表示部、１３・・・ビデオ信号処理部
【手続補正１２】
【補正対象書類名】図面
【補正対象項目名】図１１
【補正方法】変更
【補正の内容】
【図１１】
2006339694.tif 000001